(57)【特許請求の範囲】
【請求項１】
圧縮機、凝縮器、膨張弁及び蒸発器を配管接続して冷媒を封入することで冷凍サイクルを構成したヒートポンプを備え、このヒートポンプの蒸発器を熱源となる食器洗浄機からの排湯を貯留する排湯回収タンク内に熱交換可能な状態に配設し、蒸発器により前記熱源からの熱を回収しつつ、前記凝縮器により給水管に給送される原水を昇温して温水を生成するものにおいて、
前記ヒートポンプにおける圧縮機の高圧側と低圧側との間にバイパス管が設けられ、低圧側の圧力が設定値を下回った場合に、高圧側の冷媒ガスを前記バイパス管により低圧側にバイパスして昇圧する圧力制御手段を設けたことを特徴とする食器洗浄機の温水生成装置。
【請求項２】
前記圧縮機の低圧側の圧力設定値が、使用冷媒の０℃の飽和圧力の近傍に設定されていることを特徴とする請求項１記載の食器洗浄機の温水生成装置。
【発明の詳細な説明】
【０００１】
【発明の属する技術分野】
本発明は、食器洗浄機においてヒートポンプを用いて温水を生成する装置に関する。
【０００２】
【従来の技術】
例えば食器洗浄機で使用するすすぎ用の温水を得る場合に、冷凍サイクルを構成したヒートポンプで温水を生成して供給するものが実用化に向けて開発されつつある。これは、ヒートポンプにおける蒸発器を、食器洗浄機からの排湯を貯留する回収タンク内に熱交換可能な状態に配設する一方、凝縮器を、給水管に給送される原水と熱交換可能な状態に配設し、蒸発器で排熱を回収しつつ、凝縮器で原水を昇温して温水を生成するというものである。この場合、熱源となる排湯は、すすぎ工程が行われるごとに食器洗浄機の洗浄タンクからオーバーフローして回収タンクに取り込まれるようになっている。
【０００３】
【発明が解決しようとする課題】
ところで食器洗浄機は汚れを扱うものであるため、毎日業務終了時には洗浄タンクを全部排水するようにしており、したがって毎朝業務を開始する際には、温水を新たに洗浄タンクに供給する、いわゆる初期給湯を行う必要がある。この初期給湯時では、洗浄タンクからオーバーフローされる排湯、すなわち熱源が無いため、そのままヒートポンプを運転すると、圧縮機の低圧側が極端に低圧となった異常運転を行ってしまうという問題がある。なおこのような問題は、洗浄中において排湯が回収される場合でも、排湯が冷めてしまったような場合にも同様に生ずるところであり、排湯の熱を利用すべくヒートポンプ式とした温水生成装置に特有の課題である。
本発明は上記のような事情に基づいて完成されたものであって、その目的は、ヒートポンプを使用する場合において、熱源が無かったり不足している場合にも温水を生成することができるようにすることにある。
【０００４】
【課題を解決するための手段】
上記の目的を達成するための手段として、請求項１の発明に係る食器洗浄機の温水生成装置は、圧縮機、凝縮器、膨張弁及び蒸発器を配管接続して冷媒を封入することで冷凍サイクルを構成したヒートポンプを備え、このヒートポンプの蒸発器を熱源となる食器洗浄機からの排湯を貯留する排湯回収タンク内に熱交換可能な状態に配設し、蒸発器により前記熱源からの熱を回収しつつ、前記凝縮器により給水管に給送される原水を昇温して温水を生成するものにおいて、前記ヒートポンプにおける圧縮機の高圧側と低圧側との間にバイパス管が設けられ、低圧側の圧力が設定値を下回った場合に、高圧側の冷媒ガスを前記バイパス管により低圧側にバイパスして昇圧する圧力制御手段を設けた構成としたところに特徴を有する。
請求項２の発明は、請求項１の発明において、前記圧縮機の低圧側の圧力設定値が、使用冷媒の０℃の飽和圧力の近傍に設定されている構成としたところに特徴を有する。
【０００５】
【発明の作用及び効果】
＜請求項１の発明＞
凝縮器で回収されるべき熱源が無かったり不足している場合は、圧縮機の低圧側の圧力が低下するが、圧力制御手段により高圧側の冷媒ガスが低圧側にバイパスされて昇圧される。また、熱源が不足している場合は、膨張弁から圧縮機側に液戻り現象が生ずるおそれがあるが、戻った液冷媒がバイパスされたホットガスと混合されることで気化され、それが圧縮機の低圧側の昇圧に寄与し得る。
このように、熱源が無かったり不足している場合にも、圧縮機すなわちヒートポンプの正常な運転が図られ、温水を生成することが可能となる。
＜請求項２の発明＞
蒸発器における使用冷媒の蒸発温度が０℃近傍となるため、仮に蒸発器の回りに残水があったとしても、それが凍り付くことを防止できる。
【０００６】
【発明の実施の形態】
以下、本発明の一実施形態を図１ないし図１１に基づいて説明する。
図１において、符号１は食器洗浄機であって、その側方に、ヒートポンプ２１を装備した温水生成装置２０が設置される。まず食器洗浄機１の構造について説明すると、その内部の上方側には、図示しないラックを介して食器が出し入れ可能に収納される洗浄室２が形成されており、この洗浄室２の上面側と下面側に、洗浄ノズル３とすすぎノズル４とが一対ずつ配設されている。洗浄室２の底面の一側には、アルカリ洗剤の混入された洗浄水を貯留する洗浄タンク６が形成され、そこに貯められた洗浄水は、洗浄ポンプ７により汲み上げられて上記した洗浄ノズル３から食器に向けて噴射され、そののち洗浄タンク６内に回収されるといったように循環供給される。
【０００７】
洗浄タンク６の下方には、すすぎ用の温水を貯留する貯湯タンク８が装備されている。この貯湯タンク８内には、詳しくは後記するように温水生成装置２０で生成された温水が、給湯弁９の介設された給水管１０により供給されて貯留される。貯められた温水は、すすぎポンプ１１により汲み上げられてすすぎノズル４から食器に向けて噴射され、上記の洗浄タンク６内に回収される。洗浄タンク６にはオーバーフローパイプ１３が装備されており、このオーバーフローパイプ１３は、洗浄タンク６からオーバーフローした排湯を取り込んで、排湯管１４を通して温水生成装置２０に設けられた排湯回収タンク３０内に排出するようになっている。なお、洗浄タンク６と貯湯タンク８内にはそれぞれヒータ１５，１６と図示しないサーモスタットが装備されていて、洗浄水は約６０℃に、すすぎ用の温水は約８０℃に保温されるようになっている。
【０００８】
すなわち食器が洗浄室２に収納されると、洗浄ノズル３から洗浄水が噴射されて食器が洗浄され、続いてすすぎノズル４から温水が噴射されてすすぎが行われる。そして、洗浄タンク６に回収し切れずにオーバーフローした排湯が温水生成装置２０側に排出されて排熱が回収され、その回収した熱が、給水管１０に給送される水道水等の原水と熱交換されることで温水が生成されて、上記した貯湯タンク８に供給されるようになっている。
【０００９】
続いて温水生成装置２０について詳細に説明する。この温水生成装置２０はヒートポンプ２１を備えており、箱状をなす本体２２内に収納されるようになっている。ヒートポンプ２１は、図６にも示すように、圧縮機２４、凝縮器２５、膨張弁２６及び蒸発器２７が循環接続され、その中に冷媒であるフロンガス（Ｒ−２２）が流通可能に封入されることで冷凍サイクルを構成している。
【００１０】
圧縮機２４は比較的大型のものであって、図２，３に示すように、本体２２内の底面上に設置されている。その圧縮機２４の側方には蓋板３１付きの排湯回収タンク３０が設置されている。この排湯回収タンク３０には、図４，５に示すように、上記の冷凍サイクルの構成部品であるパイプ状の蒸発器２７が、その内周面に沿って螺旋状に巻装されており、その入り口２７ａと出口２７ｂとが蓋板３１の上面に突出されて冷媒配管２１ａと接続されている。排湯回収タンク３０の上部の一側には排湯の導入口３２が設けられ、食器洗浄機１における洗浄タンク６のオーバーフローパイプ１３から引き出された排湯管１４と接続されており、洗浄タンク６からオーバーフローした排湯を導入し得るようになっている。他側には、排湯回収タンク３０自身のオーバーフロー水を排出する排出口３３が設けられ、排水管３４が接続されている。
【００１１】
排湯回収タンク３０内には、プロペラ状の攪拌具３６が備えられており、蓋板３１上に設けられた駆動モータ３７によりシャフト３８を介して回転駆動されるようになっている。また、排湯回収タンク３０の底面には排水弁４０が設けられている。この排水弁４０は常開式のものであって、蓋板３１を貫通して上下動自由に装備されたロッド４１の先端に、底面に開口された弁口４２の上面側に接離して開閉する弁体４３が設けられ、常にはロッド４１がばね部材４４により上動付勢されて、図５の鎖線に示すように弁体４３が引き上げられることで弁口４２が開いており、蓋板３１上にブラケット４５を介して取り付けられたソレノイド４６の励磁力により、同図の実線に示すようにロッド４１並びに弁体４３を付勢力に抗して押し下げることで弁口４２が閉じられるようになっている。この排水弁４０は上記した排水管３４に合流して接続されている。また、排湯回収タンク３０の蓋板３１には、蒸発器２７に向けて温水を散水することでそれを洗浄するための２個の散水ノズル４８が設けられている。
【００１２】
凝縮器２５は大径のパイプ状に形成されており、その中に、すすぎ水の原水を給送する給水管１０の途中部分が挿通され、熱交換を可能とした二重管部２８が形成されている。この二重管部２８が、図２，３に示すように、本体２２の２つの側面の内側にわたって回曲しつつ張り巡らされている。給水管１０の出口側は、上記のように食器洗浄機１の貯湯タンク８に接続されている。また膨張弁２６は、感温筒２６ａが付設された温度式のものである（図６参照）。なお、本体２２内には、ヒートポンプ２１の冷凍サイクルや給排水等を制御するための装置を収納した制御ボックス４９が備えられている。
【００１３】
さらに図６によって冷凍サイクルについて言及する。圧縮機２４の高圧側と低圧側との間にはバイパス管５１が設けられ、そこに容量調整弁５２が設けられている。この容量調整弁５２は、熱負荷（熱源）が足りないときや、初期給湯時のようにまったく無いときに、圧縮機２４の高圧側のガスを低圧側にバイパスして、低圧側の圧力が過剰に低下することを防止するためのものである。
この容量調整弁５２の構造を図７によって簡単に説明する。この容量調整弁５２は、Ｔ字状の管形をなす本体部６２を備え、図中右側に突出した第１ポート６３がバイパス管５１の高圧側に、下端の第２ポート６４がバイパス管５１の低圧側にそれぞれ接続されている。本体部６２の第２ポート６４側には弁口６５が設けられ、その弁口６５を上下に貫通したロッド６６の下端に設けられた弁体６７が、弁口６５の下面側に接離して開閉するようになっており、本体部６２の上端側にねじ込み量の調節可能に螺合された調節ねじ６８と、ロッド６６との間に圧縮コイルばね６９が装着されている。圧縮コイルばね６９の回りはベローズ７０で覆われている。
【００１４】
すなわち弁体６７には、低圧側の圧力に伴う上向きの力と、下向きのばね力とがバランスされており、低圧側の圧力が設定値より小さくなると、弁体６７を押し下げて弁口６５を開放しつつ高圧側のホットガスが低圧側に流入することで昇圧されるようになっている。低圧側の所望する圧力設定値は、調節ねじ６８のねじ込み量を調節してばね力を変えることで変更される。この実施形態では、低圧側の圧力設定値が４Kgf／cm2程度となるようにされており、これは、使用冷媒であるフロンガス（Ｒ−２２）の０℃での飽和圧力を意識して定められている。
【００１５】
給水管１０における二重管部２８から出たところには、自動給水弁５３が設けられている。この自動給水弁５３は、高圧側の圧力を検知してそれに応じて給水量を調節し、高圧側の圧力を一定に保つように機能する。それに伴い、略一定温度の温水を取り出すことができる。
給水管１０における自動給水弁５３の上流側には、分流弁５４を介設した散水ホース５５が分岐して接続され、この散水ホース５５が、前記した排湯回収タンク３０の蓋板３１に設けられた散水ノズル４８に接続されている。この分流弁５４は、運転の停止時に開弁することで、二重管部２８内に残っている温水を排出し、蒸発器２７の洗浄に利用するとともに、運転立上り時の過渡的な凝縮能力不足を防止するように機能する。
【００１６】
凝縮器２５の出口側の冷媒配管２１ａと、原水の給水管１０における二重管部２８に入る手前側の部分とが密着状に並列配管されることにより、第１の補助熱交換部５７が構成されている。この第１補助熱交換部５７は、凝縮器２５から出た液冷媒とすすぎ水の原水との間で熱交換させることによって、原水を予熱するように機能する。
また、上記の第１補助熱交換部５７を構成する部分の下流側の冷媒配管２１ａと、蒸発器２７の出口側の冷媒配管２１ａとが同じく密着状に並列配管されることで、第２の補助熱交換部５８が構成されている。この第２補助熱交換部５８は、蒸発器２７を経た低温冷媒を凝縮器２５から出た高温液冷媒で加熱することにより、特に運転後半において圧縮機２４側への液戻り現象が起きるのを抑制し、併せて熱利用効率を高めるように機能する。
【００１７】
上記の第２補助熱交換部５８を構成する部分と、膨張弁２６との間における冷媒配管２１ａにはレシーバ５９が介設されている。このレシーバ５９は、例えば冷媒を過充填したときや、内部のバランスが崩れて液冷媒が過剰となった場合にそれを溜め、凝縮器２５に液冷媒が滞留するのを防止するように機能する。
レシーバ５９と膨張弁２６との間には冷媒電磁弁６０が介設されている。この冷媒電磁弁６０は、運転停止時に膨張弁２６から高圧ガスが低圧側に漏れることを防いで高圧力を維持するように機能する。
【００１８】
またこの実施形態では、図８，９に示すような制御回路を備えている。同図において、ＳＷは給湯開始用の押しボタンスイッチ、ＦＭは、温水生成装置２０の本体２２内に装備されたファンの駆動モータ、ＣＭはヒートポンプ２１の圧縮機２４である。ＳＶは冷媒電磁弁６０、Ｍは攪拌具３６の駆動モータ３７、Ｓは排水弁４０のソレノイド４６である。Ｔｈ１は、圧縮機２４の高圧側吐出口に設けられた保護用のサーモスタット、Ｔｈ２は、圧縮機２４内に設けられた同じく保護用のサーモスタットである。また、ＯＣＲは、圧縮機２４の運転電流が過電流となったときに開放する過負荷継電器、ＰｄＳＷは、圧縮機２４の高圧側の圧力が異常上昇した際に開放する圧力スイッチである。
【００１９】
本実施形態は上記のような構造であって、続いてその作動を説明する。まず説明の便宜上、食器洗浄機１の洗浄タンク６と貯湯タンク８とが満水であって、洗浄可能な状態にある場合からの作動について図１０のタイミングチャートを参照して説明する。
初めに洗浄すべき食器をラックに収めて洗浄室２内に収容する（ラック作業）。ラック作業が完了すると洗浄サイクルが開始され、洗浄タンク６内の洗浄水が洗浄ポンプ７で汲み上げられて洗浄ノズル３から噴出されるといった洗浄作業が数十秒間にわたって行われる。５秒程度の停止時間（水切り時間）があったのち、引き続いてすすぎサイクルが開始され、貯湯タンク８内の温水がすすぎポンプ１１で汲み上げられてすすぎノズル４から噴出されるといったすすぎ作業が７秒程度行われる。そののち５秒程度の停止時間（同じく水切り時間）が設定され、それにより１回の洗浄工程が完了する。
【００２０】
上記において、すすぎサイクルが開始されると、貯湯タンク８内に備えられたフロートスイッチがオフとなることで給湯弁９が開弁されるとともに、圧縮機２４がオンしてヒートポンプ２１が稼働し始める。同時に冷媒電磁弁６０も開弁される。また、排湯回収タンク３０に設けられたソレノイド４６が励磁されて常開式の排水弁４０が閉弁されるとともに、攪拌具３６が回転駆動される。すすぎサイクルの開始後に洗浄タンク６からオーバーフローしてくる排湯は、少し遅れて排湯回収タンク３０に流入し、実際に蒸発器２７が吸熱を始めるのは数秒後となる。
【００２１】
さて排湯回収タンク３０では、食器洗浄機１の洗浄タンク６からオーバーフローした排湯が少しずつ（数十秒をかけて）取り込まれる。排湯の取り込みの最中からヒートポンプ２１はフル運転して蒸発器２７に液冷媒を供給し、攪拌具３６により排湯が攪拌されて熱交換が促進されつつ吸熱を始める。実際に吸熱に掛けることのできる時間は数十秒であるため、膨張弁２６は比較的大きな流量（冷凍能力）のものが使用され、立上りからすぐに多くの冷媒が供給される。
その吸熱の最中に、まず洗浄タンク６からのオーバーフローが終わり、排湯回収タンク３０が満水となる。吸熱はさらに継続されるが、蒸発器２７に冷媒が十分に行き届くと、感温筒２６ａで検知される温度が低下することで膨張弁２６が閉じ始める。しかしながら、膨張弁２６の流量制御のタイミングがどうしても遅れるので少し液戻りぎみになる。そのため、第２補助熱交換部５８で加熱されることで液戻りの抑制が図られ、それと併せて熱利用効率の向上が図られる。
【００２２】
この間、給水管１０に送給されたすすぎ水の原水は、第１補助熱交換部５７で予熱されたのち、二重管部２８において冷媒と熱交換されて昇温され、温水となって給湯弁９を介して食器洗浄機１の貯湯タンク８に次第に供給される。貯湯タンク８に所定量温水が溜まってフロートスイッチがオンすると、圧縮機２４がオフとなるとともに、冷媒電磁弁６０が閉弁してヒートポンプ２１の運転が停止される。また排湯回収タンク３０の排水弁４０が開弁されるとともに、攪拌具３６が停止される。これにより、排湯回収タンク３０内の排湯が排出されるが、排湯は慣性力により渦流となって排出されるので、例えば排湯中に食材の細片等の異物が混じっていたとしても、渦流とともにすべて排出され、タンク３０内が汚れるおそれがない。また上記のフロートスイッチがオンすることに伴って分流弁５４が１０〜１５秒間開弁され、二重管部２８内に残った温水が散水ホース５５側に分流される。その温水は、排湯回収タンク３０の散水ノズル４８から蒸発器２７に向けて散水され、蒸発器２７の表面が洗浄される。そののち、排湯回収タンク３０の排湯が完全に排出され、食器洗浄機１がすすぎ可能な状態とされる。
以上のようにして、洗浄作業と温水の生成とが繰り返し行われる。
【００２３】
一方、食器洗浄機１は汚れを扱うものであるため、毎日業務終了時には洗浄タンク６を全部排水するようにしている。したがって毎朝業務を開始する際には、温水を新たに洗浄タンク６に供給する必要がある。この給湯を初期給湯と称しており、以下これについて図１１のタイミングチャートを参照して説明する。
この初期給湯では、容量の大きい洗浄タンク６に温水を貯めねばならず、また一度に大容量の温水を供給することが難しいことから、基本的には以下のような手順で給湯が行われる。それは、温水生成装置２０で生成された温水が貯湯タンク８に一旦取り込まれ、貯湯タンク８内のフロートスイッチがオンにしたところで、給湯弁９が閉弁されてすすぎサイクルが行われ、すすぎポンプ１１が温水を汲み上げてすすぎノズル４から噴射させて洗浄タンク６に貯められる。この給湯のサイクルが、洗浄タンク６内に設けられた図示しない水位センサが検知するまで継続される。その後、上記の給湯サイクルが予め設定された回数だけ実行されて、初期給湯が完了する。
【００２４】
この初期給湯時における温水も、同様にヒートポンプ２１を運転することで生成されるが、初期給湯時では洗浄タンク６からオーバーフローされる排湯、すなわち熱源が無いため、そのままでは低圧側が極端に低圧となった運転か、異常運転（真空運転あるいは液バック運転）を行ってしまう。低圧側の圧力が小さいと、圧縮機２４自体の仕事量が小さくなり発熱量も小さくなるので、満足に温水を生成することが難しく、低圧側の圧力はある程度の値を維持する必要がある。そのため初期給湯時には、圧縮機２４に付設された容量調整弁５２の作用により、高圧側の冷媒ガスを低圧側にバイパスさせて昇圧させるようにしている。一方膨張弁２６からは漏れ冷媒があり、熱源が無いためにそれは圧縮機２４側に戻っていくが、圧縮機２４の吸入直前では、戻ってきた液冷媒が高温のバイパスガスと混合されることで気化され、このことがより低圧側の圧力を増加させることに役立つ。低圧側の圧力設定値は、既述したように４Kgf／cm2程度である。これにより、圧縮機２４の仕事量が増大でき、結果、良好な温水生成能力が得られる。
ここで、低圧側の圧力設定値が高過ぎると、通常のヒートポンプ２１の運転時（低圧側の圧力が４．５〜６Kgf／cm2で運転）にもホットガスをバイパスしてしまって、圧縮機２４の仕事量をロスすることとなる。逆に、圧力設定値が低過ぎると、所望の仕事量が確保できず、また蒸発器２５の凍り付きの問題が生ずる。よって圧力設定値は４Kgf／cm2程度が適当である。
【００２５】
温水の生成に話を戻すと、すすぎサイクルが行われるごとにヒートポンプ２１により温水が生成される。通常そのためには、ヒートポンプ２１の運転と停止とに対応して圧縮機２４を断続運転させることになるが、短周期での運転と停止とを嫌う圧縮機２４に対して、頻繁な断続運転が予測されるにも拘らずそのままにしておくのは、品質、信頼性の上から問題がある。
そこでこの実施形態では、初期給湯の際には圧縮機２４を運転し続けるようにしている。ただし、食器洗浄機１の給湯弁９が間欠的に閉弁されるとき、ヒートポンプ２１の冷凍サイクル側では凝縮器２５への水流が断たれるから、圧縮機２４が連続運転されていると、僅かな時間でも高圧側の圧力の異常上昇を招くこととなる。
【００２６】
そのため、図１１のタイミングチャートに示されるように、給湯弁９の閉弁動作に同期して冷媒電磁弁６０を閉弁制御し、その間は、容量調整弁５２によるバイパス冷媒だけで運転する。冷媒電磁弁６０が閉じられると、圧縮機２４の低圧側への冷媒の供給量が減少するため、高圧側の圧力は逆に下がり気味となり、よって高圧側の圧力の異常上昇が防止される。もちろん、冷媒電磁弁６０が閉弁し続けると、高圧側が圧力上昇することになるが、閉弁時間はせいぜい数秒から数十秒であるため、上記のように高圧側の圧力を有効に下げるように機能する。このようにして初期給湯が行われ、洗浄可能な状態にセットされることになる。
【００２７】
以上説明したように本実施形態によれば、初期給湯時のように熱源（排湯）が無くて圧縮機２４の低圧側の圧力が低下した場合にも、容量調整弁５２を介して高圧側の冷媒ガスが低圧側にバイパスされて昇圧される。また、熱源が無い場合は、膨張弁２６から圧縮機２４側に液戻り現象が生ずるおそれがあるが、戻った液冷媒がバイパスされたホットガスと混合されることで気化され、それが圧縮機２４の低圧側の昇圧に寄与し得る。したがって熱源が無い場合にも、圧縮機２４の仕事量の増大化が図られ、温水を良好に生成することができる。
【００２８】
また洗浄運転中において、排水弁４０が故障して閉じたままとなると、熱回収された後の排湯が排湯回収タンク３０内に残る。そうすると、次に供給されてきた高温の排湯のほとんどは排湯回収タンク３０からそのままオーバーフローしてしまうために、熱源が不足することになる。また排湯回収タンク３０内に残った排湯が冷めてしまって熱源とならない場合もある。そのような場合も、容量調整弁５２の作用によって圧縮機２４の低圧側の圧力が昇圧され、同様に温水を生成することが可能となる。
さらに、低圧側の設定値がフロンガス（Ｒ−２２）の０℃での蒸発圧力に対応して定められているので、仮に排湯回収タンク３０内に温度の低い水が残っていたとしても、凍り付くおそれがない。
【００２９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、圧縮機の高圧側と低圧側との圧力差を低減するための手段として、容量調整弁を用いた場合を例示したが、これに代えて定圧膨張弁を用いてもよい。
（２）また上記実施形態では、フロンガスを冷媒として用いたものを例示したが、他の冷媒を用いて冷凍サイクルを構成したヒートポンプを使用することも可能である。
【図面の簡単な説明】
【図１】  本発明の一実施形態の全体構造を示す概略図である。
【図２】  温水生成装置の上面から見た断面図である。
【図３】  その正面から見た断面図である。
【図４】  排湯回収タンクの上面から見た断面図である。
【図５】  その正面から見た断面図である。
【図６】  ヒートポンプの冷凍サイクル図である。
【図７】  容量調整弁の断面図である。
【図８】  温水生成装置の制御回路図である。
【図９】  食器洗浄機の制御回路図である。
【図１０】  洗浄運転時のタイミングチャートである。
【図１１】  初期給湯時のタイミングチャートである。
【符号の説明】
１…食器洗浄機  １０…給水管  ２０…温水生成装置  ２１…ヒートポンプ
２１ａ…冷媒配管  ２４…圧縮機  ２５…凝縮器  ２６…膨張弁  ２７…蒸発器
３０…排湯回収タンク  ５１…バイパス管  ５２…容量調整弁
【図１】
0003741793.tif 000002
【図２】
0003741793.tif 000003
【図３】
0003741793.tif 000004
【図４】
0003741793.tif 000005
【図５】
0003741793.tif 000006
【図６】
0003741793.tif 000007
【図７】
0003741793.tif 000008
【図８】
0003741793.tif 000009
【図９】
0003741793.tif 000010
【図１０】
0003741793.tif 000011
【図１１】
0003741793.tif 000012